(57)【特許請求の範囲】
【請求項１】
基端部が回動可能に軸支されて拘束空間が形成可能な一対の拘束アームを備えた拘束部と，該拘束部に対して着脱可能な操作部とを備えた拘束具において，
拘束部は，
上記一対の拘束アームを，常には閉鎖方向へ回動付勢する第１弾性部材と，
一方の拘束アームの基端部に設けられる被係合部と，
他方の拘束アームの基端部側にて揺動可能に軸支され，一方端部に被係合部に係合する係合部及び他方端部に接触部がそれぞれ設けられた作動レバーと，
上記作動レバーを，常には接触部を開放した一対の拘束アームの拘束空間内に位置させると共に係合部を被係合部に係合させるように揺動付勢する第２弾性部材と，
を備えると共に，
操作部は，
上記拘束部の基端部を挟持する一対の挟持板を設けた取付け部材と，
上記取付け部材に設けられ，所要の長さからなる操作稈と，
を備え，
上記一対の拘束アームが第１弾性部材の弾性力に抗して開放回動された際に，被係合部に係合する係合部により一対の拘束アームを開放状態に保持可能にすると共に被拘束者に対する接触により作動レバーの接触部が押圧された際に，第２弾性部材の弾性力に抗して揺動する作動レバーにより被係合部に対する係合部の係合を解除して一対の拘束アームを第１弾性部材の弾性力により閉鎖方向へ回動付勢して被拘束者を拘束可能にする，
ことを特徴とする開閉式拘束具。
【請求項２】
基端部が回動可能に軸支されて自由端部に拘束空間が形成可能な一対の拘束アームを備えた拘束部と，該拘束部に対して着脱可能な操作部とを備えた拘束具において，
拘束部は，
上記一対の拘束アームを，常には閉鎖方向へ回動付勢する第１弾性部材と，
一方の拘束アームの基端部にて基端部が揺動可能に軸支され，拘束アームの自由端側側面に被係合部が形成された作動レバーと，
他方の拘束アームの基端部側に設けられた係合部と，
上記作動レバーを，常には開放した一対の拘束アームにより形成される拘束空間内に位置させると共に被係合部を係合部に係合させるように揺動付勢する第２弾性部材と，
を備えると共に，
操作部は，
上記拘束部の基端部を挟持する一対の挟持板を設けた取付け部材と，
上記取付け部材に設けられ，所要の長さからなる操作稈と，
を備え，
上記一対の拘束アームが第１弾性部材の弾性力に抗して開放回動された際に，第２弾性部材の弾性力により揺動付勢される作動レバーにより被係合部を係合部に係合させて一対の拘束アームを開放状態に保持可能にする一方，被拘束者に対する接触により作動レバーが押圧された際に，第２弾性部材の弾性力に抗して揺動する作動レバーにより係合部に対する被係合部の係合を解除して一対の拘束アームを第１弾性部材の弾性力により閉鎖方向へ回動付勢して被拘束者を拘束可能にする，
ことを特徴とする開閉式拘束具。
【請求項３】
基端部が回動可能に軸支されて自由端部に拘束空間が形成可能な一対の拘束アームを備えた拘束部と，該拘束部に対して着脱可能な操作部とを備えた拘束具において，
拘束部は，
上記一対の拘束アームを，常には閉鎖方向へ回動付勢する第１弾性部材と，
一方の拘束アームの基端部側に設けられた被係合部と，
他方の拘束アームの基端部にて揺動可能に軸支され，一方の拘束アームに係合して上記一対の拘束アームの閉鎖回動を規制可能な一方腕部及び他方腕部を備えた第１作動アームと，
該第１作動アームを一方腕部が上記拘束空間内に位置するように付勢する第３弾性部材と，
上記他方の拘束アームの基端部における第１作動アームの他方腕部側にて揺動可能に軸支され，一方端部に上記被係合部と係合可能な係合部及び他方端部に上記第１作動アームの他方腕部が当接可能な作動部を備えた第２作動アームと，
上記第２作動アームを被係合部に対して係合部が係合するように付勢する第４弾性部材と，
を備えると共に，
操作部は，
上記拘束部の基端部を挟持する一対の挟持板を設けた取付け部材と，
上記取付け部材に設けられ，所要の長さからなる操作稈と，
を備え，
上記一対の拘束アームが第１弾性部材の弾性力に抗して開放回動された際に，第３弾性部材の弾性力により揺動付勢される第１作動アームの一方腕部を一方の拘束アームに係止すると共に第２作動アームを，揺動付勢される第１作動アームの他方腕部により第４弾性部材の弾性力に抗して揺動して被係合部に対する係合部の係合を解除して上記一対の拘束アームの開放状態を保持する一方，被拘束者に対する接触により第１作動アームの一方腕部が押圧されて第３弾性部材の弾性力に抗して第１作動アームが揺動可能にされた際に，一方の拘束アームに対する一方腕部の係止を解除して上記一対の拘束アームを第１弾性部材の弾性力により閉鎖回動可能にすると共に第２作動アームの押圧を解除して第１弾性部材の弾性力により係合部を被係合部に係合して一対の拘束アームの閉鎖状態を保持して被拘束者を拘束可能にする，
ことを特徴とする開閉式拘束具。
【請求項４】
請求項１乃至３のいずれかにおいて，
被係合部はラチェット歯とすると共に係合部はラチェット爪とした開閉式拘束具。
【請求項５】
請求項３において，
上記第２作動アームの作動部側にて作動部に当接可能に設けられ，被係合部に対する係合部の係合が解除された際に作動部を押圧して非係合状態を保持する解除駒を備えたことを特徴とする開閉式拘束具。
【発明の詳細な説明】
【技術分野】
【０００１】
この発明は、一対の拘束アームを開閉自在とし，被拘束者を拘束するの使用する開閉式拘束具（本発明において「拘束具」とは，「捕獲具」を含む概念として使用する。）、詳しくは犯罪者、暴漢者等の人間や，各種動物(野生動物を含む。以下，これらを総称して被拘束者と称する。) の手や足等を拘束して抵抗や逃走を防ぐと共に拘束者の生命、身体に対する被拘束者からの攻撃を防御したりする際に使用する開閉式拘束具に関する。
【背景技術】
【０００２】
暴漢者等の被拘束者から身を守りながら取り押さえたり，動物を捕獲したりする拘束具として，例えば特許文献１及び２に示す拘束具が提案されている。その内，特許文献1に係る拘束具は，スライドシャフトの先端に取り付けられた開閉可能な掴み部の二本のアームが、前記掴み部を捕獲対象物に押し付けることにより、スライドシャフトが手元方向に摺動し、その摺動に応じて二本のアームが互いに近接する方向に閉鎖し、スライドシャフトの先端方向への摺動はストッパー手段によって制御するように構成されている。
【０００３】
特許文献２に係る拘束具は，スライドシャフトに掴み部のアームを閉鎖回動させるためのバネが用いられ、掴み部を捕獲対象物に押し付けることなく、バネの付勢力によってアームを閉鎖させるように構成されている。また，該拘束具は，スライドシャフトに鋸歯状突起からなるラック型係合部と、前記ラック型係合部と係合する係止片を有する係止部とによってロック部を形成し、前記ロック部は、係合状態が維持されているときはスライドシャフトの手元方向にのみスライドするように構成されている。
【０００４】
しかし，特許文献１の拘束具は、スライドシャフトの摺動幅に応じて閉鎖し、その閉鎖状態がストッパー手段によって維持されることにより開放動作を規制する構造であるが，シャフトの先端部を被拘束者に押し付けることにより２本のアームを閉動作させる必要がある。このため，二本のアームが完全に閉鎖状態になる前においては容易に拘束を解除させることができ，被拘束者を確実に拘束することが困難であった。
【０００５】
また、スライドシャフトの摺動幅に応じて閉鎖した状態から掴み部のアームを開くには、ストッパー手段によるロック状態を解除しながら手でアームを開かなければならず，瞬時にアームを開くことが困難で，被拘束者に逃げられるおそれがあった。
【０００６】
特許文献２の拘束具は、スライドシャフトの先端部を被拘束者に押し付けることなく、操作杆の開閉保持部を操作することによりバネの付勢力によって挟み込み部材を閉鎖させることが可能であるが，開閉保持部の操作を瞬時に実行することが困難で，被拘束者を有効に拘束できない恐れがある。また，拘束部に固着された操作杆は、被拘束者との間隔を保つためにある程度の長尺状とする必要があるが，拘束部から操作杆を分離できないため，持ち運びや保管が困難であった。
【先行技術文献】
【特許文献】
【０００７】
【特許文献１】特開２００７−７１５２５号公報
【特許文献２】特開２０１０−１７５１１３号公報
【発明の概要】
【発明が解決しようとする課題】
【０００８】
本発明が解決しようとする問題点は、シャフトの先端部を被拘束者に押し付けることにより２本のアームを閉動作させる必要があり，二本のアームが完全に閉鎖状態になる前においては容易に拘束を解除させることができ，被拘束者を確実に拘束することが困難な点にある。
【０００９】
本発明が解決しようとする問題点は、ストッパー手段によるロック状態を解除しながら手でアームを開かなければならず，瞬時にアームを開くことが困難で，被拘束者に逃げられるおそれがある点にある。
【００１０】
本発明が解決しようとする問題点は、開閉保持部の操作を瞬時に実行することが困難で，被拘束者を有効に拘束できない恐れがあると共に拘束部に固着された操作杆は、拘束部から分離できないため，持ち運びや保管が困難な点にある。
【課題を解決するための手段】
【００１１】
本発明の請求項１は，上記課題を解決するため，基端部が回動可能に軸支されて自由端部に拘束空間が形成可能な一対の拘束アームを備えた拘束部と，該拘束部に対して着脱可能な操作部とを備えた拘束具において，拘束部は，上記一対の拘束アームを，常には閉鎖方向へ回動付勢する第１弾性部材と，一方の拘束アームの基端部にて基端部が揺動可能に軸支され，拘束アームの自由端側側面に被係合部が形成された作動レバーと，他方の拘束アームの基端部側に設けられた係合部と，上記作動レバーを，常には開放した一対の拘束アームにより形成される拘束空間内に位置させると共に被係合部を係合部に係合させるように揺動付勢する第２弾性部材と，を備えると共に，操作部は，上記拘束部の基端部を挟持する一対の挟持板を設けた取付け部材と，上記取付け部材に設けられ，所要の長さからなる操作稈と，を備え，上記一対の拘束アームが第１弾性部材の弾性力に抗して開放回動された際に，第２弾性部材の弾性力により揺動付勢される作動レバーにより被係合部を係合部に係合させて一対の拘束アームを開放状態に保持可能にする一方，被拘束者に対する接触により作動レバーが押圧された際に，第２弾性部材の弾性力に抗して揺動する作動レバーにより係合部に対する被係合部の係合を解除して一対の拘束アームを第１弾性部材の弾性力により閉鎖方向へ回動付勢して被拘束者を拘束可能にすることを最も主要な特徴とする。
【００１２】
本発明の請求項２は，上記課題を解決するため，基端部が回動可能に軸支されて自由端部に拘束空間が形成可能な一対の拘束アームを備えた拘束部と，該拘束部に対して着脱可能な操作部とを備えた拘束具において，拘束部は，上記一対の拘束アームを，常には閉鎖方向へ回動付勢する第１弾性部材と，一方の拘束アームの基端部にて基端部が揺動可能に軸支され，拘束アームの自由端側側面に被係合部が形成された作動レバーと，他方の拘束アームの基端部側に設けられた係合部と，上記作動レバーを，常には開放した一対の拘束アームにより形成される拘束空間内に位置させると共に被係合部を係合部に係合させるように揺動付勢する第２弾性部材と，を備えると共に，操作部は，上記拘束部の基端部を挟持する一対の挟持板を設けた取付け部材と，上記取付け部材に設けられ，所要の長さからなる操作稈と，を備え，上記一対の拘束アームが第１弾性部材の弾性力に抗して開放回動された際に，第２弾性部材の弾性力により揺動付勢される作動レバーにより被係合部を係合部に係合させて一対の拘束アームを開放状態に保持可能にする一方，被拘束者に対する接触により作動レバーが押圧された際に，第２弾性部材の弾性力に抗して揺動する作動レバーにより係合部に対する被係合部の係合を解除して一対の拘束アームを第１弾性部材の弾性力により閉鎖方向へ回動付勢して被拘束者を拘束可能にすることを最も主要な特徴とする。
【００１３】
本発明の請求項３は，上記課題を解決するため，基端部が回動可能に軸支されて自由端部に拘束空間が形成可能な一対の拘束アームを備えた拘束部と，該拘束部に対して着脱可能な操作部とを備えた拘束具において，拘束部は，上記一対の拘束アームを，常には閉鎖方向へ回動付勢する第１弾性部材と，一方の拘束アームの基端部側に設けられた被係合部と，他方の拘束アームの基端部にて揺動可能に軸支され，一方の拘束アームに係合して上記一対の拘束アームの閉鎖回動を規制可能な一方腕部及び他方腕部を備えた第１作動アームと，該第１作動アームを一方腕部が上記拘束空間内に位置するように付勢する第３弾性部材と，上記他方の拘束アームの基端部における第１作動アームの他方腕部側にて揺動可能に軸支され，一方端部に上記被係合部と係合可能な係合部及び他方端部に上記第１作動アームの他方腕部が当接可能な作動部を備えた第２作動アームと，上記第２作動アームを被係合部に対して係合部が係合するように付勢する第４弾性部材と，を備えると共に，操作部は，上記拘束部の基端部を挟持する一対の挟持板を設けた取付け部材と，上記取付け部材に設けられ，所要の長さからなる操作稈と，を備え，上記一対の拘束アームが第１弾性部材の弾性力に抗して開放回動された際に，第３弾性部材の弾性力により揺動付勢される第１作動アームの一方腕部を一方の拘束アームに係止すると共に第２作動アームを，揺動付勢される第１作動アームの他方腕部により第４弾性部材の弾性力に抗して揺動して被係合部に対する係合部の係合を解除して上記一対の拘束アームの開放状態を保持する一方，被拘束者に対する接触により第１作動アームの一方腕部が押圧されて第３弾性部材の弾性力に抗して第１作動アームが揺動可能にされた際に，一方の拘束アームに対する一方腕部の係止を解除して上記一対の拘束アームを第１弾性部材の弾性力により閉鎖回動可能にすると共に第２作動アームの押圧を解除して第１弾性部材の弾性力により係合部を被係合部に係合して一対の拘束アームの閉鎖状態を保持して被拘束者を拘束可能にすることを最も主要な特徴とする。
【発明の効果】
【００１４】
本発明は，被拘束者に対する押し付けに伴って一対の拘束アームを確実かつ瞬時に閉鎖回動させて被拘束者を有効に拘束することができる。また，被拘束者を拘束する際には，押し付け以外に他の操作をすることなく拘束アームを閉鎖回動して被拘束者を有効に拘束できると共に拘束部から操作杆を分離することができ，持ち運びや保管を容易に行うことができる。
【図面の簡単な説明】
【００１５】
【図１】拘束具の概略を示す略体斜視図である。
【図２】拘束アームを閉鎖回動した際の略体横断面図である。
【図３】拘束アームを閉鎖状態から開放状態にする際の略体横断面図である。
【図４】拘束アームを開放状態にした際の略体横断面図である。
【図５】被拘束者を拘束する際における拘束アームの動作状態を示す略体横断面図である。
【図６】実施例２に係る拘束具の拘束アームを開放した状態を示す略体横断面図である。
【図７】実施例２に係る拘束具の拘束アームを閉鎖した状態を示す略体横断面図である。
【図８】拘束具の変更実施例を示す略体横断面図である。
【図９】拘束アームの自由端部に延長アームを設けた変更実施例を示す略体横断面図である。
【発明を実施するための形態】
【００１６】
本発明は，一対の拘束アームが第１弾性部材の弾性力に抗して開放回動された際に，被係合部に係合する係合部により一対の拘束アームを開放状態に保持可能にすると共に被拘束者に対する接触により接触アーム部が押圧された際に，第２弾性部材の弾性力に抗して揺動する作動レバーにより被係合部に対する係合部の係合を解除して一対の拘束アームを第１弾性部材の弾性力により閉鎖方向へ回動付勢して被拘束者を拘束可能にすることを最良の形態とする。
【実施例１】
【００１７】
次に、この発明に係る開閉式拘束具の実施形態を図面に基づいて説明する。
【００１８】
図１及び図２（図２は，索条及び操作杆を取り除いた状態を示す）に示す拘束具１は、拘束部３と、拘束部３に対して着脱可能に取り付けられる操作部５とから構成される。
【００１９】
拘束部３は，互いに相対する方向へ湾曲した一対の第１及び第２拘束アーム７・９の基端部を回動可能に軸支した構造で，一方の第１拘束アーム７は，１枚状の第１アーム板７ａにより構成され，該アーム板７ａの基端部には，第１大径部７ｂが形成される。該第１大径部７ｂの一部外周には，被係合部としての多数のラチェット歯７ｃが周方向に形成されると共に外周膨出部には後述する操作部５に対する被固定部としての係止部７ｄが形成される。これら第２及び第２拘束アーム７・９は，拘束しようとする対象物の大きさに応じた適宜の長さ，湾曲率の金属材，好ましくはステンレス材で形成される。
【００２０】
上記第１拘束アーム７における第１大径部７ｂの一部外周には，被拘束者からの危険を回避することが可能な介することが可能な所要長さのロープやチェーン等の索条８ａの一方端部が固着される取付け部７ｅが設けられる。また，第１大径部７ｂの中心部には，軸孔７ｆが形成される。
【００２１】
他方の第２拘束アーム９は，上記第１アーム板７ａが進入可能な間隔をおいて相対する上下一対の第２アーム板９ａを，先端部，中間部および基端側にてスタッド９ｂにより連結される。また，各第２アーム板９ａの基端部には，第２大径部９ｃが形成され，各第２大径部９ｃの外周膨出部には操作部５に対する被固定部としての係止部９ｄが形成される。
【００２２】
上記第２アーム板９ａにおける第２大径部９ｃの一部外周には，他の索条８ｂの一方端部が固着される取付け部９ｅが設けられる。また，各第２大径部９ｃの中心部には，軸孔９ｆが形成される。
【００２３】
なお，上記説明は，第１及び第２拘束アーム７・９の双方に取付け部７ｅ・９ｅを設け，それぞれの索条８ａ・８ｂの端部を固着する構成としたが，第１及び第２拘束アーム７・９のいずれか一方に取付け部７ｅ・９ｅを設けて１本の索条８ｂの端部を取り付け可能にする構成としてもよい。
【００２４】
上記第１及び第２拘束アーム７・９は，第１及び第２大径部７ｂ・９ｃの軸孔７ｆ・９ｆ内に挿通される軸１１を中心に揺動可能に軸支される。また，第１及び第２拘束アーム７・９は，上記軸１１の周りに設けられ，一端部が第１拘束アーム７に掛け止めされると共に他端部が第２拘束アーム９に掛け止めされる線ばねや巻きばね等の第１弾性部材１３（図は巻きばねを示す。）の弾性力により相互が閉鎖する方向へ付勢される。
【００２５】
第２拘束アーム９における各第２大径部９ｃの外周間には，一方端部が第１拘束アーム７のラチェット歯７ｃ側に位置すると共に他端部が第２大径部７ｂの外周側に位置する作動レバー１５が揺動可能に軸支される。該作動レバー１５は，一方端部にラチェット歯７ｃに噛み合うラチェット爪１５ａが，また他方端部に第１及び第２拘束アーム７・９の基端部外周側に位置する接触アーム部１５ｂがそれぞれ形成されている。該接触アーム部１５ｂは，第１及び第２拘束アーム７・９が閉鎖回動したて際に第１拘束アーム７の第１大径部７ｂに対する干渉を回避するために先割れの二股状に形成される。
【００２６】
上記作動レバー１５の軸支部には，線ばねや巻きばね等の第２弾性部材１７（図は巻きばねを示す。）が，一端部が第２拘束アーム９の第２大径部９ｃに掛け止めされると共に他端部が接触アーム部１５ｂの下面に位置するように取付けられ，該第２弾性部材１７は，その弾性力によりラチェット爪１５ａをラチェット歯７ｃに噛み合わせると共に接触アーム部１５ｂを第１及び第２大径部９ｃの外側に位置させるように付勢する。
【００２７】
上記作動レバー１５は，第１及び第２拘束アーム７・９が第１弾性部材１３の弾性力により閉鎖向へ回動された際に，第２弾性部材１７の弾性力により付勢されたラチェット爪１５ａをラチェット歯７ｃに噛み合わせて第１及び第２拘束アーム７・９の閉状態を保持させる。
【００２８】
また，上記作動レバー１５は，第２大径部９ｃの外側に位置する接触アーム部１５ｂが被拘束者の手や足等に対する押し付けにより押圧された際には，第２弾性部材１７の弾性力に抗してラチェット歯７ｃに対するラチェット爪１５ａの係合を解除し，第１及び第２拘束アーム７・９を第１弾性部材１３の弾性力により閉鎖方向へ回動可能にさせる。
【００２９】
操作部５は，拘束部３に着脱可能に取り付けられる取付け部材１９と，該取付け部材１９に取り付けられる金属パイプ等の操作杆２１とから構成される。上記取付け部材１９は，弾性変形可能なステンレスや鉄板等の金属材で，第２拘束アーム９における第２大径部９ｃの外側面に差し込み可能な間隔をおいて相対する上下一対の挟持板１９ａと，各挟持板１９ａの基端部を連結する連結板１９ｂからなる縦断面がコ字型に形成され，上記挟持板１９ａ間には，固定部材１９ｃが設けられる。
【００３０】
上記固定部材１９ｃは，第１及び第２拘束アーム７・９が開放状態にされた際にそれぞれの外周膨出部間に位置して係止部７ｄ・９ｄに係止して拘束部３に操作部５が着脱可能に固定される。
【００３１】
また，上記連結板１９ｂには，上記操作杆２１の先端部が固着される。該操作杆２１は，被拘束者からの危険を回避することが可能な適宜の距離を保つことを可能にする長さで，その基端部側には，上記索条８ａ・８ｂの他方端部が固定される取付け部２１ａが設けられる。なお，操作杆２１としては，伸縮可能な構造としてもよい。
【００３２】
さらに，操作杆２１は，取付け部材１９に対して着脱可能に取り付ける構成としてもよい。取付け部材１９に対して操作杆２１を着脱可能にする構成としては，従来公知のねじ込み構造，巻きばね等により常に閉鎖方向へ付勢された一対のクランプ片により挟持可能とするクランプ部材等のいずれであってもよい。
【００３３】
上記のように構成された拘束具１の使用方法及び作用を説明すると，先ず，拘束者は，第２拘束アーム９における各第２大径部９ｃの外面に対して取付け部材１９の挟持板１９ａを，結合部材１９ｃが第１及び第２拘束アーム７・９の外周膨出部間に位置するように差し込んで拘束部３に操作部５を仮止めさせる。
【００３４】
上記状態にて拘束者は，作動レバー１５の接触アーム部１５ｂを第２弾性部材１７の弾性力に抗して図示する第１及び第２大径部７ｂ・９ｃ側へ押圧してラチェット歯７ｃに対するラチェット爪１５ａの係合を解除させながら第１及び第２拘束アーム７・９相互を第１弾性部材１３の弾性力に抗して開放方向へ回動し，その自由端部側に被拘束者を拘束可能な所要の拘束空間を形成させる。（図３参照）
【００３５】
そして第１及び第２拘束アーム７・９が開放されると，拘束者は，作動レバー１５の接触アーム部１５ｂに対する押圧を中断する。これにより作動レバー１５は，第２弾性部材１７の弾性力により図示する時計方向へ揺動してラチェット爪１５ａをラチェット歯７ｃに係合させ，第１及び第２拘束アーム７・９が第１弾性部材１３の弾性力により回動復帰するのを規制して開放状態に保持させる。（図４参照）
【００３６】
なお，ラチェット爪１５ａがラチェット歯７ｃに係合された際に，接触アーム部１５ｂは，第１及び第２拘束アーム７・９の第１及び第２大径部７ｂ・９ｃの外周から飛び出した開放空間内に位置するように揺動される。また，第１及び第２拘束アーム７・９が所要の角度で開放された際に，第１及び第２大径部７ｂ・９ｃの外周膨出部間に嵌め込まれた固定部材１９ｃの両端部が係止部７ｄ・９ｄにそれぞれ係合して拘束部３から操作部５が外れるのを規制して仮止めさせる。
【００３７】
上記のように第１及び第２拘束アーム７・９に所要の拘束空間が形成された拘束具１により被拘束者を拘束するには，拘束者は，索条８ａ・８ｂの他端部が取り付けられた操作杆２１を介して拘束具１を，被拘束者の，例えば手や足等に対して第１及び第２拘束アーム７・９の拘束空間内に位置するように押し付けると，接触アーム部１５ｂが被拘束者に対する接触に伴って図示する反時計方向へ押圧される。これにより作動レバー１５は，第２弾性部材１７の弾性力に抗して図示する反時計方向へ揺動し，ラチェット歯７ｃに対するラチェット爪１５ａの係合を解除させる。（図２及び図５参照）
【００３８】
そしてラチェット歯７ｃに対するラチェット爪１５ａの係合が解除されると，第１及び第２拘束アーム７・９は，第１弾性部材１３の弾性力により閉鎖方向へ回動して被拘束者の手や足等を挟持することにより拘束し，その身動きを困難にさせる。
【００３９】
このとき，第１及び第２拘束アーム７・９により被拘束者が拘束されると，接触アーム部１５ｂの押圧が解除される。また，第１及び第２拘束アーム７・９が閉鎖方向へ回動された際に，固定部材１９ｃに対する係止部７ｄ・９ｄの係合がそれぞれ解除されることにより拘束部３から操作部５が取り外し可能になり，被拘束者が第１及び第２拘束アーム７・９による拘束状態で身動きして拘束部３を引っ張った際には，操作部５から拘束部３を容易に分離させることができる。
【００４０】
なお，拘束部３から操作部５が分離された際にあっては，拘束者は，拘束部３に繋がっている索条８ａ・８ｂにより被拘束者の自由を制限して逃走等を阻止することができる。
【００４１】
本実施例は，開放空間が形成された第１及び第２拘束アーム７・９を被拘束者に押し付けることにより第１及び第２拘束アーム７・９を自動的に閉鎖回動させて被拘束者を拘束でき，従来のように操作杆を操作して第１及び第２拘束アームを閉鎖する必要がなく，被拘束者を迅速に拘束することができる。
【００４２】
本実施例は，閉鎖回動する第１及び第２拘束アーム７・９により被拘束者を拘束して接触アーム部１５ｂに対する押圧が解除された際には，第２弾性部材１７の弾性力により揺動復帰する作動レバー１５のラチェット爪１５ａをラチェット歯７ｃに係合して第１及び第２拘束アーム７・９の開放されるのを規制し，拘束状態を維持することができる。
【００４３】
本実施例は，閉鎖回動する第１及び第２拘束アーム７・９により被拘束者を拘束した際には，操作部５が拘束部３から容易に分離可能になるが&#32363;がった索条８ａ・８ｂにより被拘束者の自由を制限して逃走等を有効に阻止することができる。
【００４４】
本実施例は，拘束具１を持ち運ぶ際には，拘束部３と操作部５を分離することができるため，拘束具１を容易に持ち運んだり，保管したりすることができる。
【実施例２】
【００４５】
実施例２は，実施例１と異なる開閉機構を備えた拘束具５１に係り，図６及び図７（拘束具の開閉機構箇所のみを示す。）においては，実施例１と同一の部材に付いては，同一の符号を付し，その詳細な説明を省略する。
【００４６】
図６に示すように実施例２に係る開閉機構５３の第１作動アーム５５は，第２拘束アーム９の基端部に揺動可能に軸支され，一方腕部は第１拘束アーム７の厚み幅に対応する幅及び第１及び第２拘束アーム７・９の閉鎖動作時に第１拘束アーム７に対する干渉を回避することができる長さの切り欠き５５ａを有した二股状に形成されると共に他方腕部は後述する第２作動アーム５７の他方腕部を押圧する押圧部５５ｂが形成される。
【００４７】
該第１作動アーム５５は，軸支部に設けられた線ばね，巻きばね等の第３弾性部材（図示せず）の弾性力により，常には図示する時計方向（実線矢印ＣＷで示す。）へ揺動するように付勢される。
【００４８】
なお，第１作動アーム５５における一方腕部の先端部には，後述する第１拘束アーム７の基端部内側に設けられる被係止部７ｇに係合可能に係止部５５ｃが設けられる。該係止部５５ｃは，第１及び第２拘束アーム７・９が所定の開放状態に回動された際に，第１拘束アーム７の被係止部７ｇに係合して第１及び第２拘束アーム７・９を開放状態に保持させる。
【００４９】
第１作動アーム５５の押圧部５５ｂ側に応じた第２拘束アーム９の基端部には，第２作動アーム５７が揺動可能に軸支され，該第２作動アーム５７は，軸支部に設けられた線ばね，巻きばね等の第４弾性部材（図示せず）の弾性力により，常には図示する反時計方向（実線矢印ＣＣＷで示す。）へ揺動するように付勢される。
【００５０】
第２作動アーム５７は，一方腕部に第１拘束アーム７のラチェット歯７ｃに噛合するラチェット爪５７ａが設けられると共に他方腕部に作動部５７ｂが設けられる。なお，上記作動部５７ｂの先端部には，後述する解除駒５９の先端部が掛け止めされる突部５７ｃが設けられる。
【００５１】
上記解除駒５９は，第２アーム板９ａ間に設けられたホルダ（図示せず）内をスライド可能に支持されると共に内部に装着された圧縮ばね等で，上記第４弾性部材より弱い弾性力の第５弾性部材（図示せず）により図示する実線矢印方向へ付勢される。また，解除駒５９の先端部にはテーパ面５９ａが形成され，該テーパ面５９ａには上記作動部５７ｂの先端部が摺接される。
【００５２】
次に，実施例２に係る拘束具５１の開閉作用を説明すると，図７に示すように拘束アーム７・９が開放した状態においては，第１及び第２拘束アーム７・９相互は，第１弾性部材１３の弾性力により閉鎖方向へ回動可能に付勢される。また，第１作動アーム５５は，第３弾性部材の弾性力により図示する時計方向ＣＷへ揺動され，その係止部５５ｃは被係止部７ｇに係止されると共にその押圧部５５ｂは作動部５７ｂを押圧して第２作動アーム５７を第４弾性部材の弾性力に抗して図示する時計方向ＣＷへ揺動させる。
【００５３】
このとき，第２作動アーム５７のラチェット爪５７ａは，ラチェット歯７ｃに対する噛合が解除された状態に保持されると共に第５弾性部材の弾性力により付勢された解除駒５９の先端部は，作動部５７ｂの突部５７ｃに掛け止めされる。
【００５４】
また，第１及び第２拘束アーム７・９は，所定の開放状態に開放回動された際には，被係止部７ｇに対する係止部５５ｃの係止及び突部５７ｃに対する解除駒５９先端部の掛け止めにより第１弾性部材の弾性力に抗した状態で開放状態に保持され，両者間に拘束空間を形成させる。（図６参照）
【００５５】
そして拘束具５１により被拘束者を拘束する際に，拘束者は，操作杆２１を介して拘束具５１を，第１及び第２拘束アーム７・９の拘束空間内に被拘束者の，例えば手や足等が進入するように押し付けると，第１作動アーム５５は，一方腕部に被拘束者の手や足等が押し付けられることにより第３弾性部材の弾性力に抗して図示する反時計方向ＣＣＷへ揺動して被係止部７ｇに対する係止部５５ｃの係止を解除させた後に第１作動アーム５７の一方腕部が切り欠き５５ａを介して第１拘束アーム７側へ進入し，第１及び第２拘束アーム７・９の閉鎖回動を可能にさせる。
【００５６】
これにより第１及び第２拘束アーム７・９は，第１弾性部材１３の弾性力により閉鎖方向へ回動して拘束空間内の被拘束者の手や足等を拘束させる。また，第２作動アーム５７は，図示する反時計方向ＣＣＷに対する第１作動アーム５５の揺動に伴ってその他方腕部に対する押圧部５５ｂの押圧が解除されることにより第４弾性部材の弾性力により図示する反時計方向ＣＣＷへ揺動し，ラチェット爪５７ａをラチェット歯７ｃに係合させて閉鎖回動した第１及び第２拘束アーム７・９が開放回動されるのを規制する。（図７参照）
【００５７】
なお，第２作動アーム５７は，作動部５７ｂに対する押圧部５５ｂの押圧が解除されると，反時計方向ＣＣＷに対する揺動に伴って解除駒５９を第５弾性部材の弾性力に抗して押し上げ，突部５７ｃに対する先端部の掛け止めを解除した後に他方腕部の端部をテーパ面５９ａ上にて摺接させることにより第２作動アーム５７の揺動を可能にしてラチェット爪５７ａをラチェット歯７ｃに係合させる。
【００５８】
これにより閉鎖回動して開放回動が規制された第１及び第２拘束アーム７・９により拘束された被拘束者が拘束具５１から抜け出したりするのを防止し，確実に拘束することができる。
【００５９】
なお，上記被拘束者の拘束状態を解除するには，解除錠や解除レバー（いずれも図示せず）の操作により解除駒５９を図７から図６に示す方向へ移動することにより第２作動アームして５７を図示する時計方向ＣＷへ揺動し，ラチェット歯７ｃに対するラチェット爪５７ａの係合を強制的に解除し，させる。第１及び第２拘束アーム７・９を開放回動可能にさせる。
【００６０】
本発明は，以下のように変更実施することができる。なお，以下の説明においては，特に説明しない部材や作用に付いては，上記実施例と同様であるため，図においては同一の符号を付して詳細な説明を省略する。
【００６１】
１  図８に示すように，例えば一方の第１拘束アーム７の第１大径部７ｂの外周側には，開放側の側面に多数のラチェット歯７１ａが長手方向に亘って形成された作動レバー７１ａの一方端部が揺動可能に軸支されると共に他方の第２拘束アーム９の大径部９ｃには，ラチェット爪７３が取り付けられる。
【００６２】
そして作動レバー７１の軸支部には，該作動レバー７１を図示する反時計方向へ付勢する巻きばね等の第２弾性部材７５が取り付けられ，第２弾性部材７５の弾性力によりラチェット爪７３に対してラチェット歯７１ａが係合するように構成される。
【００６３】
第１及び第２拘束アーム７・９を開放させる際には，拘束者は，作動レバー７１を第２弾性部材７５の弾性力に抗して図示する時計方向へ揺動するように押圧し，ラチェット爪７３に対するラチェット歯７１ａの係合を解除させた状態で第１及び第２拘束アーム７・９を第１弾性部材１３の弾性力に抗して開放方向へ回動させる。
【００６４】
そして拘束者は，第１及び第２拘束アーム７・９が所要の角度で開放された際に図示する時計方向に対する作動レバー７１の押圧を中断すると，第２弾性部材７５の弾性力により作動レバー７１を揺動復帰させてラチェット歯７１ａをラチェット爪７３に係合させることにより第１及び第２拘束アーム７・９を開放状態に保持させる。
【００６５】
一方，被拘束者の手や足を拘束する際には，拘束者は，被拘束者の手や足等に向かって第１及び第２拘束アーム７・９が開放された拘束部３を押し付ける。このとき，作動レバー７１は，手や足等に対する押し付けにより図示する時計方向へ揺動してラチェット爪７３に対するラチェット歯７１ａの係合を解除させる。これにより第１及び第２拘束アーム７・９は，第１弾性部材１３の弾性力により閉鎖回動して被拘束者の手や足等を拘束させる。
【００６６】
そして 閉鎖回動した第１及び第２拘束アーム７・９により被拘束者を拘束した際には作動レバー７１に対する手や足等の押し付けがなくなり，第２弾性部材７５の弾性力により図示する反時計方向に対する作動レバー７１の揺動によりラチェット歯７１ａをラチェット爪７３に係合させることにより第１及び第２拘束アーム７・９の閉鎖状態，従って被拘束者の拘束状態を保持させる。
【００６７】
２  図９に示すように第１拘束アーム７の各自由端部は，二股状に形成され，その先端部には一方の第１延長アーム８１の基端部が第１拘束アーム７の先端部の延出方向と一致する方向へ延出する延出位置と先端部の切り欠き８３内に位置する収容位置の間で揺動するように軸支される。
【００６８】
また，第２拘束アーム９の先端部には，第２延長アーム８５の基端部が第２拘束アーム９の先端部の延出方向と一致する方向へ延出する延出位置と第２アーム板９ａの自由端部内に位置する収容位置の間で揺動するように軸支される。
【００６９】
第１及び第２延長アーム８１・８５の軸支部には，線ばねや巻きばね等の第６弾性部材（図示せず）が取り付けられ，第１及び第２延長アーム８１・８５は，第６弾性部材の弾性力により，常には上記延出位置へ揺動するように付勢される。
【００７０】
そして第１及び第２拘束アーム７・９が開放回動された際には，第１及び第２延長アーム８１・８５が第６弾性部材の弾性力により延出位置に，また第１及び第２拘束アーム７・９が閉鎖回動された際には，第１及び第２延長アーム８１・８５が，相対する第１及び第２拘束アーム７・９との接触に伴って第６弾性部材の弾性力に抗して収容位置へそれぞれ揺動される。
【００７１】
本実施例は，被拘束者の手や足等を拘束する際に，第１及び第２延長アーム８１・８５により第１及び第２拘束アーム７・９を実質的に長尺化して被拘束者の捕捉を容易化することができる。
【００７２】
３  上記説明は，取付け部材１９の連結板１９ｂに操作杆２１の先端部を固定する構成としたが，取付け部材１９に対して操作杆２１をねじ止め機構，クランプ機構等により着脱可能な構成としてもよい。
【００７３】
４  請求項１及び２のいずれかにおいて，各拘束アームの基端部外周には，被固定部を設けると共に取付け部材には固定部材を設け，一対の拘束アームが開放回動された際に固定部材を被固定部に係合して拘束部に対して操作部を固定可能にしたことを特徴とする開閉式拘束具。
【００７４】
５  上記４において，一対の拘束アームの基端部外周にそれぞれ設けられる被固定部は，被固定凹部とし，被固定凹部に対して固定部材の端部をそれぞれ係合して固定可能にすることを特徴とする開閉式拘束具。
【００７５】
６  請求項１乃至３のいずれかにおいて，少なくとも一方の拘束アームには，索状の一方端部が固着されたことを特徴とする開閉式拘束具。
【００７６】
７  請求項１乃至３のいずれかにおいて，少なくとも一方の拘束アームの自由端部には，延長アームが揺動可能に軸支されたことを特徴とする開閉式拘束具。
【００７７】
８  上記７において，延長アームは，少なくとも一方の拘束アームの自由端部に対し，拘束アームの延出方向に延出する延出位置と上記自由端部側の退避位置の間で揺動可能に軸支されると共に基端部に装着された第６弾性部材の弾性力により上記延出位置へ揺動付勢されることを特徴とする開閉式拘束具。
【００７８】
９  請求項１乃至３のいずれかにおいて，操作杆は，上記取付け部材に対してねじ込み構造及びクランプ構造のいずれかにより着脱可能に取り付けられることを特徴とする開閉式拘束具。
【００７９】
１０  請求項５において，上記解除駒は，第４弾性部材の弾性力より弱い弾性力を有した第５弾性部材により第２作動アームの作動部に圧接して上記非係合状態を保持可能にすることを特徴とする開閉式拘束具。
【００８０】
１１  請求項５及び上記１０のいずれかにおいて，解除駒の当接面をテーパ面とすると共に作動部端部に突部を設け，該突部に対してテーパ面頂部を掛け止めして非係合状態を保持可能にする一方，被係合部に係合部を係合する際には，テーパ面に対して作動部を主接可能にすることを特徴とする開閉式拘束具。
【符号の説明】
【００８１】
１  拘束具
３  拘束部
５  操作部
７  第１拘束アーム
７ａ  第１アーム板
７ｂ  第１大径部
７ｃ  被係合部としてのラチェット歯
７ｄ  被固定部としての係止部
７ｅ  取付け部
７ｆ  軸孔
７ｇ  被係止部
８ａ・８ｂ  索条
９  第２拘束アーム
９ａ  第２アーム板
９ｂ  スタッド
９ｃ  第２大径部
９ｄ  被固定部としての係止部
９ｅ  取付け部
９ｆ  軸孔
１１  軸
１３  第１弾性部材
１５  作動レバー
１５ａ  係合部としてのラチェット爪
１５ｂ  接触アーム部
１７  第２弾性部材
１９  取付け部材
１９ａ  挟持板
１９ｂ  連結板
１９ｃ  固定部材
２１  操作杆
２１ａ  取付け部
５１  拘束具
５３  開閉機構
５５  第１作動アーム
５５ａ  切り欠き
５５ｂ  押圧部
５５ｃ  係止部
５７  第２作動アーム
５７ａ  ラチェット爪
５７ｂ  作動部
５７ｃ  突部
５９  解除駒
５９ａ  テーパ面
７１  作動レバー
７１ａ  被係合部としてのラチェット歯
７３  係合部としてのラチェット爪
７５  第２弾性部材
８１  第１延長アーム
８３  切り欠き
８５  第２延長アーム
【要約】      （修正有）【課題】被拘束者に対する押し付けに伴って一対の拘束アームを確実かつ瞬時に閉鎖回動させて被拘束者を有効に拘束することのできる開閉式拘束具を提供する。【解決手段】一対の拘束アーム７・９が第１弾性部材１３の弾性力に抗して開放回動された際に，被係合７ｃに係合する係合部１５ａにより一対の拘束アーム７・９の開放状態を保持可能にする。被拘束者に対する接触により接触アーム部１５ｂが押圧された際に，第２弾性部材１７の弾性力に抗して揺動する作動レバー１５により被係合部７ｃに対する係合部１５ａの係合を解除して一対の拘束アーム７・９を第１弾性部材１３の弾性力により閉鎖方向へ回動付勢して被拘束者を拘束可能にする。【選択図】図２【図１】
0006933877.tif 000002
【図２】
0006933877.tif 000003
【図３】
0006933877.tif 000004
【図４】
0006933877.tif 000005
【図５】
0006933877.tif 000006
【図６】
0006933877.tif 000007
【図７】
0006933877.tif 000008
【図８】
0006933877.tif 000009
【図９】
0006933877.tif 000010